(57)【要約】 【課題】  複数のグループに分類される情報を記録再生するために要する時間を短縮することができる記録装置を提供する。【解決手段】  ディスク２は、複数のグループに分類される情報がそれぞれ記録される複数の記録領域１１，１２に分割し、一方の記録領域１１を他方の記録領域の両側に配置し、または各記録領域１１，１２を複数の区域に分けて交互に配置する。さらに記録される情報に応じて記録再生の頻度が高いと想定される情報が近い位置に記録されるようにする。たとえば音楽情報とナビ情報を記録する場合、好きなジャンル、好きなアーティストの音楽情報を、ナビ情報が記録される領域の近くに、またできるだけ自宅などの案内に利用される地点の情報の近くに記録する。【選択図】      図１
2006065897.tif 000002
【特許請求の範囲】
【請求項１】
記録媒体と、該記録媒体に対して情報を記録再生する記録再生手段とを含む記録装置であって、
前記記録媒体は、複数のグループに分類される情報が各グループ毎にそれぞれ記録される複数の記録領域に分割され、
各記録領域は、前記記録再生手段によって記録媒体に対して情報を記録再生する場合の該記録再生手段の動作量が小さくなるように配置されることを特徴とする記録装置。
【請求項２】
前記各記録領域のうち一記録領域は、他の記録領域の両側に配置されることを特徴とする請求項１記載の記録装置。
【請求項３】
前記一記録領域に記録される情報は、複数の種類に分類され、各種類毎に、異なる領域部分にそれぞれ記録されることを特徴とする請求項２記載の記録装置。
【請求項４】
前記一記録領域に記録される情報のうち優先すべき種類を指定する優先情報に基づいて、該優先情報によって指定される種類の情報が、他の記録領域に近い領域部分に優先的に記録されることを特徴とする請求項３記載の記録装置。
【請求項５】
前記一記録領域に記録される情報のうち、前記記録再生手段によって記録再生される頻度の高い種類の情報が、他の記録領域の近くに優先的に記録されることを特徴とする請求項３記載の記録装置。
【請求項６】
前記一記録領域に記録される情報は、音楽情報であり、
外部記録媒体に記録されている音楽情報を記録するにあたって、情報蓄積媒体に登録されている音楽情報の種類を表す種類情報を利用して分類されることを特徴とする請求項３〜５のいずれか１つに記載の記録装置。
【請求項７】
前記一記録領域に記録される情報は、音楽情報であり、
音楽情報を記録するにあたって、利用者によって入力される音楽情報の種類を表す種類情報を利用して分類されることを特徴とする請求項３〜５のいずれか１つに記載の記録装置。
【請求項８】
前記各記録領域のうち一記録領域と他の記録領域とは、複数の区域にそれぞれ分割され、前記一記録領域の各区域と、前記他の記録領域の各区域とが、交互に配置されていることを特徴とする請求項１記載の記録装置。
【請求項９】
前記一記録領域の各区域のうち、前記記録再生手段によって記録再生される頻度の高い情報が記録される区域と、前記他の記録領域の各区域のうち、前記記録再生手段によって記録再生される頻度の高い情報が記録される区域とが、隣接するように配置されていることを特徴とする請求項８記載の記録装置。
【請求項１０】
前記他の記録領域に記録される情報は、利用者を目的地に案内するための案内情報であり、
前記一記録領域の各区域のうち、前記記録再生手段によって記録再生される頻度の高い情報が記録される区域と、他の記録領域における予め設定される基準地点に関連する案内情報が記録される区域とが、隣接するように配置されることを特徴とする請求項８または９記載の記録装置。
【請求項１１】
前記基準地点は、利用者の自宅として設定される地点であることを特徴とする請求項１０記載の記録装置。
【請求項１２】
前記一記録領域に記録される情報は、複数の種類に分類され、
前記一記録領域に記録される情報のうち優先すべき種類を指定する優先情報に基づいて、該優先情報によって指定される種類の情報が、前記基準地点に関連する案内情報が記録される区域に近い区域に優先的に記録されることを特徴とする請求項１０または１１記載の記録装置。
【請求項１３】
前記一記録領域に記録される情報は、音楽情報であり、
外部記録媒体に記録されている音楽情報を記録するにあたって、情報蓄積媒体に登録されている音楽情報の種類を表す種類情報を利用して分類されることを特徴とする請求項１２記載の記録装置。
【請求項１４】
前記一記録領域に記録される情報は、音楽情報であり、
音楽情報を記録するにあたって、利用者によって入力される音楽情報の種類を表す種類情報を利用して分類されることを特徴とする請求項１２記載の記録装置。
【請求項１５】
デジタル放送を受信して取得した情報を記録するにあたっては、課金される額を表す課金情報を一記録領域に併せて記録することを特徴とする請求項１〜１４のいずれか１つに記載の記録装置。
【発明の詳細な説明】
【技術分野】
【０００１】
本発明は、情報を記録および／または再生する記録装置に関する。
【０００２】
本発明において、用語「記録再生」は、情報の記録および情報の再生の少なくともいずれか一方を含む動作を意味する。
【背景技術】
【０００３】
利用者を目的地まで案内するナビゲーション装置は、地図情報を含むナビ情報が記録されるハードディスク装置から、ナビ情報を再生し、そのナビ情報を利用して、利用者を目的地まで案内できるように構成されている。このハードディスク装置は、ナビ情報以外の情報を記録可能な記録容量を有しており、内側と外側との２つの記録領域にパーティションが切られ、一方、たとえば内側の記録領域にナビ情報が記録され、他方、たとえば外側の記録領域に利用者が音楽情報を記録させておくことができるように構成されている。
【０００４】
このようなハードディスク装置に関連する技術がたとえば特許文献１に示されている。この特許文献１の装置では、１つのハードディスク装置の記録媒体を複数のパーティション領域に分割し、動画データと楽曲データとが、各パーティション領域に記録されている。
【０００５】
【特許文献１】特開２００１−７６４２３号公報
【発明の開示】
【発明が解決しようとする課題】
【０００６】
従来のハードディスク装置は、特許文献１の装置も含めて、記録媒体が単に、内側と外側の２つの記録領域に分割されているだけであり、利用者を案内しながら音楽情報を再生するなど、ナビ情報と音楽情報とを交互に記録再生（アクセス）する必要がある場合、ヘッドの移動距離が大きく、情報を記録再生するために要する時間が長くなってしまう。
【０００７】
本発明の目的は、複数のグループに分類される情報を記録再生するために要する時間を短縮することができる記録装置を提供することである。
【課題を解決するための手段】
【０００８】
本発明は、記録媒体と、該記録媒体に対して情報を記録再生する記録再生手段とを含む記録装置であって、
前記記録媒体は、複数のグループに分類される情報が各グループ毎にそれぞれ記録される複数の記録領域に分割され、
各記録領域は、前記記録再生手段によって記録媒体に対して情報を記録再生する場合の該記録再生手段の動作量が小さくなるように配置されることを特徴とする記録装置である。
【０００９】
本発明に従えば、記録媒体が複数の記録領域に分割され、複数のグループに分類される情報が、各グループ毎に各記録領域にそれぞれ記録される。これら各記録領域は、記録再生手段によって２つ以上の記録領域に対して情報を記録再生する場合の該記録再生手段の動作量が小さくなるように配置されている。これによって複数のグループの情報を記録再生するために要する時間を短縮することができる。
【００１０】
また本発明は、前記各記録領域のうち一記録領域は、他の記録領域の両側に配置されることを特徴とする。
【００１１】
本発明に従えば、一記録領域と他の記録領域とを単に並べて配置する場合に比べて、一記録領域および他の記録領域に対して情報を記録再生するときの記録再生手段の平均動作量を、約３分の２に低減することができる。したがって一記録領域と他の記録領域とを単に並べて配置する場合に比べて、一記録領域および他の記録領域に対して情報を記録再生するために要する時間を約３分の２に低減することができる。
【００１２】
また本発明は、前記一記録領域に記録される情報は、複数の種類に分類され、各種類毎に、異なる領域部分にそれぞれ記録されることを特徴とする。
【００１３】
本発明に従えば、一記録領域に対する記録再生の対象となる領域部分をできるだけ一部の領域部分に集中させることができる。利用者による情報の利用、つまり情報の記録再生は、好みなど利用者毎に決まる特定の種類の情報に集中することが想定される。したがって情報を種類毎に領域部分を割当てて記録することによって、記録再生手段の動作量を小さく抑えることが可能になり、記録再生に要する時間の短縮が可能になる。
【００１４】
また本発明は、前記一記録領域に記録される情報のうち優先すべき種類を指定する優先情報に基づいて、該優先情報によって指定される種類の情報が、他の記録領域に近い領域部分に優先的に記録されることを特徴とする。
【００１５】
本発明に従えば、一記録領域に記録される情報のうち優先情報によって指定される種類の情報と、他の記録領域に記録される情報とを記録再生する場合の記録再生手段の動作量を小さくすることができる。したがって一記録領域に記録される情報のうち記録再生される頻度が高いと想定される種類の情報を、優先情報によって指定しておくことによって、記録再生の頻度が高いと想定される情報と、他の記録領域に記録される情報とを記録再生する場合の記録再生手段の動作量を小さくすることができる。このように記録再生される頻度が高いと想定される情報に関連して記録再生手段の動作量を小さくすることができるので、記録再生に要する時間を短縮することができる。
【００１６】
また本発明は、前記一記録領域に記録される情報のうち、前記記録再生手段によって記録再生される頻度の高い種類の情報が、他の記録領域の近くに優先的に記録されることを特徴とする。
【００１７】
本発明に従えば、一記録領域に記録される情報のうち記録再生される頻度が高い情報と、他の記録領域に記録される情報とを記録再生する場合の記録再生手段の動作量を小さくすることができる。このように記録再生される頻度が高い情報に関連して記録再生手段の動作量を小さくすることができるので、記録再生に要する時間を短縮することができる。
【００１８】
また本発明は、前記一記録領域に記録される情報は、音楽情報であり、
外部記録媒体に記録されている音楽情報を記録するにあたって、情報蓄積媒体に登録されている音楽情報の種類を表す種類情報を利用して分類されることを特徴とする。
【００１９】
本発明に従えば、一記録領域に音楽情報を記録するにあたって、その音楽情報が外部記録媒体に記録される音楽情報である場合、情報蓄積媒体に登録されている音楽情報の種類を表す種類情報を利用して分類される。これによって外部記録媒体に記録されている音楽情報を記録するにあたっては、いわば自動的に音楽情報が分類されるので、利用者が予め分類して種類情報を入力する必要がなく、利便性を高くすることができる。
【００２０】
また本発明は、前記一記録領域に記録される情報は、音楽情報であり、
音楽情報を記録するにあたって、利用者によって入力される音楽情報の種類を表す種類情報を利用して分類されることを特徴とする。
【００２１】
本発明に従えば、一記録領域に音楽情報を記録するにあたって、利用者によって音楽情報の種類を表す種類情報が入力される。したがって利用者が好みなど利用者の都合によって、音楽情報を分類することが可能であり、利便性を高くすることができる。また種類情報を、複数の選択枝の中から選択して入力できる構成としてもよく、この場合には、利用者による入力の手間を少なくすることができる。
【００２２】
また本発明は、前記各記録領域のうち一記録領域と他の記録領域とは、複数の区域にそれぞれ分割され、前記一記録領域の各区域と、前記他の記録領域の各区域とが、交互に配置されていることを特徴とする。
【００２３】
本発明に従えば、互いに隣接する２つの区域の情報を記録再生する場合、記録再生手段の動作量を小さくすることができる。したがって一記録領域と他の記録領域とを単に並べて配置する場合に比べて、一記録領域および他の記録領域に対して情報を記録再生するために要する時間を短縮することができる。
【００２４】
また本発明は、前記一記録領域の各区域のうち、前記記録再生手段によって記録再生される頻度の高い情報が記録される区域と、前記他の記録領域の各区域のうち、前記記録再生手段によって記録再生される頻度の高い情報が記録される区域とが、隣接するように配置されていることを特徴とする。
【００２５】
本発明に従えば、記録再生される頻度が高い情報が記録される区域同士が隣接して配置されている。したがって記録再生される頻度が高い情報に関連して記録再生手段の動作量を小さくすることができるので、記録再生に要する時間を短縮することができる。
【００２６】
また本発明は、前記他の記録領域に記録される情報は、利用者を目的地に案内するための案内情報であり、
前記一記録領域の各区域のうち、前記記録再生手段によって記録再生される頻度の高い情報が記録される区域と、他の記録領域における予め設定される基準地点に関連する案内情報が記録される区域とが、隣接するように配置されることを特徴とする。
【００２７】
本発明に従えば、基準地点として、記録再生される頻度が高いことが想定される地点を基準地点として設定することによって、記録再生される頻度が高い情報が記録される区域同士を、隣接して配置させることができる。したがって記録再生される頻度が高い情報に関連して記録再生手段の動作量を小さくすることができるので、記録再生に要する時間を短縮することができる。
【００２８】
また本発明は、前記基準地点は、利用者の自宅として設定される地点であることを特徴とする。
【００２９】
本発明に従えば、利用者の自宅として設定される地点付近を案内するための案内情報は、記録再生される頻度が高く、このように他の記録領域における記録再生頻度の高い情報が記録される区域と、一記録領域の記録再生頻度の高い情報が記録される区域とが、互いに隣接して配置される。したがって記録再生される頻度が高い情報に関連して記録再生手段の動作量を小さくすることができるので、記録再生に要する時間を短縮することができる。
【００３０】
また本発明は、前記一記録領域に記録される情報は、複数の種類に分類され、
前記一記録領域に記録される情報のうち優先すべき種類を指定する優先情報に基づいて、該優先情報によって指定される種類の情報が、前記基準地点に関連する案内情報が記録される区域に近い区域に優先的に記録されることを特徴とする。
【００３１】
本発明に従えば、一記録領域に記録される情報のうち優先情報によって指定される種類の情報と、他の記録領域における基準地点付近を案内するための情報が記録される区域の情報とを記録再生する場合の記録再生手段の動作量を小さくすることができる。したがって一記録領域に記録される情報のうち記録再生される頻度が高いと想定される種類の情報を、優先情報によって指定し、他の記録領域に記録される情報のうち記録再生される頻度が高いと想定される情報が表す地点を、基準地点とてして設定しておくことによって、一記録領域および他の記録領域に記録される各情報のうち、記録再生される頻度が高いと想定される情報が記録される区域同士を隣接させて配置することができる。このように記録再生される頻度が高いと想定される情報に関連して記録再生手段の動作量を小さくすることができるので、記録再生に要する時間を短縮することができる。
【００３２】
また本発明は、前記一記録領域に記録される情報は、音楽情報であり、
外部記録媒体に記録されている音楽情報を記録するにあたって、情報蓄積媒体に登録されている音楽情報の種類を表す種類情報を利用して分類されることを特徴とする。
【００３３】
本発明に従えば、一記録領域に音楽情報を記録するにあたって、その音楽情報が外部記録媒体に記録される音楽情報である場合、情報蓄積媒体に登録されている音楽情報の種類を表す種類情報を利用して分類される。これによって外部記録媒体に記録されている音楽情報を記録するにあたっては、いわば自動的に音楽情報が分類されるので、利用者が予め分類して種類情報を入力する必要がなく、利便性を高くすることができる。
【００３４】
また本発明は、前記一記録領域に記録される情報は、音楽情報であり、
音楽情報を記録するにあたって、利用者によって入力される音楽情報の種類を表す種類情報を利用して分類されることを特徴とする。
【００３５】
本発明に従えば、一記録領域に音楽情報を記録するにあたって、利用者によって音楽情報の種類を表す種類情報が入力される。したがって利用者が好みなど利用者の都合によって、音楽情報を分類することが可能であり、利便性を高くすることができる。また種類情報を、複数の選択枝の中から選択して入力できる構成としてもよく、この場合には、利用者による入力の手間を少なくすることができる。
【００３６】
また本発明は、デジタル放送を受信して取得した情報を記録するにあたっては、課金される額を表す課金情報を一記録領域に併せて記録することを特徴とする。
【００３７】
本発明に従えば、音楽情報を記録再生するとき記録再生される可能性が高い課金情報を、音楽情報とともに一記録領域に記録することによって、課金情報を記録再生するために記録再生手段の動作量が大きくなってしまうことを防ぐことができる。したがって記録再生手段の動作量を小さくし、情報を記録再生するために要する時間を短縮することができる。
【発明の効果】
【００３８】
本発明によれば、各記録領域が、記録再生手段によって２つ以上の記録領域に対して情報を記録再生する場合の該記録再生手段の動作量が小さくなるように配置されているので、情報を記録再生するために要する時間を短縮することができる。
【００３９】
また本発明によれば、一記録領域は、他の記録領域の両側に配置されるので、単に並べて配置する場合に比べて、情報を記録再生するために要する時間を約３分の２に低減することができる。
【００４０】
また本発明によれば、情報を種類毎に分類して記録することによって、記録再生手段によって記録再生される頻度が高い情報が記録される位置を集中させ、記録再生手段の動作量を小さく抑えることが可能になり、記録再生に要する時間の短縮が可能になる。
【００４１】
また本発明によれば、一記録領域に記録される情報のうち記録再生される頻度が高いと想定される種類の情報を、優先情報によって指定しておくことによって、記録再生に要する時間を短縮することができる。
【００４２】
また本発明によれば、記録再生される頻度が高い情報に関連して記録再生手段の動作量を小さくすることができるので、記録再生に要する時間を短縮することができる。
【００４３】
また本発明によれば、外部記録媒体に記録される音楽情報を記録するにあたって、情報蓄積媒体に登録されている音楽情報の種類を表す種類情報を利用して分類されるので、利用者が予め分類して種類情報を入力する必要がなく、利便性を高くすることができる。
【００４４】
また本発明によれば、利用者が好みなど利用者の都合によって、音楽情報を分類することが可能であり、利便性を高くすることができる。また種類情報を、複数の選択枝の中から選択して入力できる構成としてもよく、この場合には、利用者による入力の手間を少なくすることができる。
【００４５】
また本発明によれば、互いに隣接する２つの区域の情報を記録再生する場合、記録再生手段の動作量を小さくすることができるので、一記録領域と他の記録領域とを単に並べて配置する場合に比べて、一記録領域および他の記録領域に対して情報を記録再生するために要する時間を短縮することができる。
【００４６】
また本発明によれば、記録再生される頻度が高い情報が記録される区域同士が隣接して配置されているので、記録再生に要する時間を短縮することができる。
【００４７】
また本発明によれば、基準地点として、記録再生される頻度が高いことが想定される地点を基準地点として設定することによって、記録再生される頻度が高い情報が記録される区域同士を、隣接して配置させることができる。したがって記録再生に要する時間を短縮することができる。
【００４８】
また本発明によれば、利用者の自宅として設定される地点付近を案内するための案内情報は、記録再生される頻度が高いので、記録再生に要する時間を短縮することができる。
【００４９】
また本発明によれば、一記録領域に記録される情報のうち記録再生される頻度が高いと想定される種類の情報を、優先情報によって指定しておくことによって、記録再生に要する時間を短縮することができる。
【００５０】
また本発明によれば、外部記録媒体に記録される音楽情報を記録するにあたって、情報蓄積媒体に登録されている音楽情報の種類を表す種類情報を利用して分類されるので、利用者が予め分類して種類情報を入力する必要がなく、利便性を高くすることができる。
【００５１】
また本発明によれば、利用者が好みなど利用者の都合によって、音楽情報を分類することが可能であり、利便性を高くすることができる。また種類情報を、複数の選択枝の中から選択して入力できる構成としてもよく、この場合には、利用者による入力の手間を少なくすることができる。
【００５２】
また本発明によれば、課金情報を記録再生するために記録再生手段の動作量が大きくなってしまうことを防ぐことができ、記録再生手段の動作量を小さくし、情報を記録再生するために要する時間を短縮することができる。
【発明を実施するための最良の形態】
【００５３】
図１は、本発明の実施の一形態のハードディスクドライブ（以下「ＨＤＤ」と略記する）装置１を簡略化して示すブロック図である。記録装置であるＨＤＤ装置１は、記録媒体である金属製円板状のディスク２と、ディスク２に対して情報を記録再生するヘッド３とを有する。ディスク２は、スピンドルモータなどのディスク駆動モータ４によって、ディスク２の軸線Ｌ２まわりに回転方向Ａへ回転駆動される。記録再生手段であるヘッド３は、アーム５の一端部に保持され、ディスク２に対向するように設けられる。
【００５４】
アーム５は、ディスク２の軸線Ｌ２と平行な角変位軸線Ｌ５まわりに角変位方向Ｂへ角変位可能に設けられ、ボイスコイルモータなどのアーム駆動モータ６によって角変位軸線Ｌ５まわりに角変位駆動される。これによってヘッド２は、ディスク２に対して、略半径方向となるトラッキング方向Ｃへ変位駆動される。
【００５５】
ディスク２には、周方向へ延びる複数のトラックが、半径方向へ並べられて同心円状に規定されており、ＨＤＤ装置１は、ディスク２を回転させながら、ヘッド３によって、トラックに情報を記録再生することができる。ヘッド３は、磁気ヘッドであって、磁気的作用によって、情報を記録再生する。またヘッド３をトラッキング方向Ｃへ変位させることによって、記録再生するトラックを変更することができる。
【００５６】
ＨＤＤ装置１は、制御装置１０によって制御される。具体的には、ヘッド３および各モータ４，６が、制御装置１０によって制御される。ＨＤＤ装置１は、この制御に従って、ディスク２に対して情報を記録再生する。
【００５７】
ＨＤＤ装置１には、複数のグループ、本実施の形態では、２つのグループに分類される情報が、記録される。ディスク２は、情報記録可能な記録可能域１３が、複数、本実施の形態では、情報のグループ数と同数の２つの記録領域１１，１２に分割され、情報が各グループ毎にそれぞれ記録される。したがって前述のようにディスク２に規定されている複数のトラックが、一方のグループの情報を記録するためのトラック、または他方のグループの情報を記録するためのトラックとして割当てられる。具体的には、制御装置１０が、記録可能域１３を、各記録領域１１，１２として、設定される。
【００５８】
各記録領域１１，１２は、ヘッド３によってディスク２に対して情報を記録再生する場合のヘッド３の動作量が小さくなるように配置される。本実施の形態では、一方の記録領域１１は、他方の記録領域１２の両側に配置される。具体的には、ディスク２の記録可能域１３は、円環状であり、その記録可能域１３の内周部および外周部に相当する領域が一方の記録領域１１とされ、内周部および外周部に挟まれる中間部に相当する領域が他方の記録領域１２とされている。ヘッド３の動作量は、ヘッド３のディスク２に対するトラッキング方向Ｃの変位量である。
【００５９】
図２は、ＨＤＤ装置１を備えるナビゲーション装置２０を示すブロックである。ナビゲーション装置２０は、ＨＤＤ装置１に記録される情報を、必要に応じて処理して、利用者に提供するための情報処理装置の１つである。ナビゲーション装置２０は、たとえば自動四輪車などの車両に搭載され、利用者を目的地まで案内するための案内情報と、歌および楽曲などの音楽を表す音楽情報を報知する装置である。
【００６０】
ＨＤＤ装置１に記録される２つのグループの情報のうち、一方のグループの情報は、音楽情報であり、他方のグループの情報は、ナビ情報である。ナビ情報は、案内情報を生成するために用いられる情報であり、道路および施設などによって構成される地図を表す地図情報などを含む。以下、一方の記録領域を音楽領域といい、他方の記録領域をナビ領域という場合がある。
【００６１】
ナビゲーション装置２０は、ナビゲーション装置２０を構成する各手段として、ＨＤＤ装置１、制御装置１０、案内情報生成装置２１、入力装置２２、通信装置２３および出力装置２４を備える。ＨＤＤ装置１、案内情報生成装置２１、入力装置２２、通信装置２３および出力装置２４は、互いに信号を送受信可能に、制御装置１０に接続され、制御装置１０によって制御される。
【００６２】
ＨＤＤ装置１は、制御装置１０から、記録すべき情報が、記録を要求する記録要求情報とともに与えられると、記録すべき情報をディスク２に記録する。またＨＤＤ装置１は、制御装置１０から、記録される情報を要求する再生要求情報が与えれると、記録される情報を再生して制御装置１０に与える。本実施の形態では、記録されるべき情報は、ナビ情報および音楽情報を含む。
【００６３】
案内情報生成装置２１は、ナビ情報を利用して、案内情報を生成する手段であり、演算処理回路によって実現される。この案内情報生成装置２１は、制御装置１０から、ナビ情報ならびに目的地および経路選択の制限などを含む案内条件を表す条件情報が、案内情報の生成を要求する生成要求情報とともに与えられると、案内情報を生成して制御手段１０に与える。案内情報生成装置２１では、利用者の現在位置（以下「自己位置」という場合がある）を検出し、案内条件を満たすように目的地までの経路を探索し、地図に、自己位置を示すシンボルマーク、自己位置から目的地までの経路を示す経路線などを重畳した案内画像を表す案内画像情報、ならびに左折および右折などを音声で指示する案内音声を表す案内音声情報を含む案内情報を生成する。
【００６４】
入力装置２２は、情報を入力するための装置であり、情報読込み部２６と、操作部２７とを有する。情報読込み部２６は、デジタルバーサタイルディスク（以下「ＤＶＤ」と略記する場合がある）およびコンパクトディスク（以下「ＣＤ」と略記する場合がある）などの着脱可能な外部記録媒体に記録される情報を読込むための手段であり、たとえばＤＶＤドライブ装置によって実現される。この情報読込み部２６は、外部記録媒体が装着された状態で、その外部記録媒体に記録される情報を読込み、その情報を制御装置１０に与える。したがって情報読込み部２６は、ＣＤなどに記録される音楽情報を読込んで、制御装置１０に与えることができる。
【００６５】
操作部２７は、カーソルキー、決定キー、テンキーなどの操作片を有し、利用者による操作片の操作によって、その操作に応じた情報を入力する操作パネルによって実現される。この操作部２７では、たとえば前述の案内条件を表す条件情報を入力することができるし、また情報読込み部２６によって読込まれる音楽情報に関連する情報として、その音楽のジャンル、アーティストおよび情報源などの音楽情報の種類を表す種類情報を入力することができるし、たとえば情報の記録および再生の指令、案内する旨の指令を含む動作の実行を指令する動作指令情報を入力することができる。操作部２７は、入力される情報を、制御装置１０に与える。
【００６６】
通信装置２３は、たとえばインターネットなどの公衆回線網を介して、情報を保有するサーバ装置と通信可能であり、またテレビジョン放送およびラジオ放送など、放送されて到来する放送信号を受信可能であり、たとえばチューナーおよびモデムなどによって実現される。この通信装置２３は、制御装置１０から、情報の取得を要求する取得要求情報が与えられると、サーバ装置と通信し、または放送信号を受信して、情報を取得し、取得した情報を制御装置１０に与える。
【００６７】
出力装置２４は、情報を出力するための装置であり、表示部２８と、音声出力部２９とを有する。表示部２８は、画像を表示するための手段であり、たとえば液晶表示装置によって実現される。表示部２８は、表示すべき画像を表す画像情報が、表示を要求する表示要求情報とともに与えられると、表示すべき画像を表示する。本実施の形態では、表示すべき画像は、案内画像を含み、表示すべき画像を表す画像情報は、案内画像情報を含む。
【００６８】
音声出力部２９は、音声を表示するための手段であり、たとえばスピーカーによって実現される。音声出力部２９は、出力すべき音声を表す音声情報が、出力を要求する出力要求情報とともに与えられると、出力すべき音声を出力する。本実施の形態では、出力すべきき音声は、音楽および案内音声を含み、出力すべき音声を表す音声情報は、音楽情報および案内音声情報を含む。
【００６９】
制御装置１０は、中央演算処理回路（ＣＰＵ）およびメモリなどを内蔵するコンピュータによって実現され、メモリに記憶されるプラグラムおよび制御条件に従って、ナビゲーション装置２０が予め定める動作を実行するように、ＨＤＤ装置１、案内情報生成装置２１、入力装置２２、通信装置２３および出力装置２４を制御する。制御装置１０は、操作部２７が操作されて、動作の実行を指令する動作指令情報が与えられると、動作指令情報によって指令される動作を実行するように制御する。
【００７０】
具体的一例を述べると、制御装置１０は、たとえばＨＤＤ装置１に情報を記録する動作を指令する記録指令情報が与えられると、情報読込み部２６によって情報を読込み、または通信装置２３によって情報を取得し、その情報をＨＤＤ装置１に記録するように、ＨＤＤ装置１、読込み部２６、通信装置２３を制御する。動作指令情報の１つである記録指令情報には、情報をどのようにして取得するか、つまり情報読込み部２６によって読込むか、通信装置２３によって取得するのかを指示する情報が含まれており、制御装置１０では、これに基づいて、情報を取得する。
【００７１】
さらに記録指令情報には、記録すべき情報の属するグループを表すグループ情報が含まれており、制御装置１０は、グループ情報に基づいて、各記録領域１１，１２のうちグループに割当てられる記録領域に記録するように、ＨＤＤ装置１を制御する。
【００７２】
図３は、図１のセクションＳ３を拡大して、軸線Ｌ２に沿う方向から見て、ディスク２の一部を示す正面図である。図４は、ジャンルの一例を説明するためにディスク２の一部を示す正面図である。図５は、各ジャンルに対する領域部分の割当ての一例を説明するためにディスク２の一部を示す正面図である。図６は、各ジャンルに対する領域部分の割当ての他の例を説明するためにディスク２の一部を示す正面図である。
【００７３】
図３に示すように、一方の記録領域である音楽領域１１は、複数の円環状の領域部分３０〜３３に半径方向に分割されており、音楽領域に記録される音楽情報は、複数の種類に分類され、各種類毎に、異なる領域部分３０〜３３にそれぞれ記録される。本実施の形態では、図４に示すように、音楽情報の種類は、音楽のジャンルであり、たとえばジャズ（ＪＡＺＺ）、ジェイポップ（Ｊ−ＰＯＰ）およびクラシック（ｃｌａｓｓｉｃ）などである。したがって、一方の記録領域１１は、たとえばジャンル数に応じて決定される。
【００７４】
制御装置１０は、音楽領域１１を、各領域部分３０〜３３に設定するとともに、各領域部分３０〜３３を、各ジャンルにそれぞれ割当てる。そして制御装置１０は、音楽情報をジャンルによって分類し、各ジャンルに割当てられる領域部分３０〜３３に記録するように、ＨＤＤ装置１０を制御する。
【００７５】
制御装置１０は、各ジャンルに、各領域部分３０〜３３を割当てるにあたって、優先すべきジャンルが指定されている場合は、指定されるジャンルの音楽情報が、ナビ領域１２に近い領域部分に優先的に記録されるように割当てる。優先すべきジャンルは、その優先すべきジャンルを表す優先情報が、操作部２７によって入力されることによって、指定される。この優先情報は、操作部２７によって入力される情報であり、たとえば利用者が好きなジャンルを１つ指定する情報であってもよいし、各ジャンルの好きな度合を表す情報であってもよく、制御装置１０のメモリに制御条件として記憶されている。
【００７６】
制御装置１０は、好きなジャンルが１つ指定されている場合には、図５に示すように、指定される好きなジャンルに、ナビ領域１２に隣接する領域部分３０を割当てる。その他のジャンルについては、予め初期設定される条件を満たすように適宜割当てる。また制御装置１０は、各ジャンルの好きな度合が指定されている場合には、好きな度合が高いジャンルから順次、ナビ領域１２に近い領域部分を割当てるようにしてもよい。
【００７７】
また制御装置１０は、各ジャンルに、各領域部分３０〜３３を割当てるにあたって、優先すべきジャンルが指定されていない場合は、図６に示すように、記録再生する頻度が最も高いジャンルに、ナビ領域１２に隣接する領域部分３０が割当てる。その他のジャンルについては、予め初期設定される条件を満たすように適宜割当てる。また制御装置１０は、記録再生頻度の高いジャンルから順次、ナビ領域１２に近い領域部分を割当てるようにしてもよい。
【００７８】
このように記録再生頻度によって領域部分３０〜３３の割当てをする場合、予め初期設定される条件を満たすように各ジャンルに各領域部分３０〜３３が適宜割当てられ、記録再生される頻度に基づいて、記録再生される頻度の高いジャンルに、ナビ領域１２に隣接する領域部分３０が割当てられるように、各ジャンルに対する各領域部分３０〜３３の割当てを変更する。割当ての変更にあたって、変更前に記録された音楽情報については、変更前に割当てられた領域にそのまま記録しておいてもよいし、変更後に割当てられる領域に記録し直すようにしてもよい。
【００７９】
このように音楽領域１１は、複数の領域部分３０〜３３に分割され、音楽情報の種類、本実施の形態ではジャンル毎に領域部分３０〜３３が割当てられて記録される。このように割当てはされるが、各ジャンルに割当てられた領域部分３０〜３３の記録容量に空きが無い場合には、制御装置１０は、空き記録容量を有するたの領域部分に記録するように制御する。この場合、本来割当てられる領域部分にできるだけ近い領域部分に記録するようにしてもよい。図３〜図６には、図解を容易にするために、音楽領域１１のうち、ナビ領域１２の外側に配置される区域だけを示しているが、音楽領域１１は、ナビ領域１２の内側に配置される区域も含めて、複数の領域部分に分割されることは言うまでもない。
【００８０】
制御装置１０は、音楽情報を記録する記録指令情報が与えられると、いずれの種類、本実施の形態ではいずれのジャンルに属する音楽であるか、種類を表す種類情報を取得し、その種類情報に基づいて音楽情報を分類し、各種類毎に割当てられる領域部分３０〜３３に記録するように、ＨＤＤ装置１を制御する。制御装置１０は、種類情報を取得できない場合、予め初期設定される領域部分に記録するように、ＨＤＤ装置１を制御する。種類情報を取得できない場合、たとえばナビ領域からもっとも遠い領域部分３３に記録するようにしてもよいし、各領域部分３０〜３３のうち空き記録容量が最も多い領域部分に記録するようにしてもよい。
【００８１】
種類情報は、操作部２７が操作されて入力されることによって制御装置１０が取得する構成であってもよいし、通信装置２３を制御して、サーバ装置から取得するようにしてもよい。操作部２７の操作に基づいて、種類情報を取得する場合、たとえば図７に示すように、表示部２８に各ジャンルを表示させ、表示させるジャンルの中の１つを、操作部２７の操作によって選択することによって、種類情報を入力することができるようにしてもよい。
【００８２】
また録音すべき音楽情報が外部記録媒体としての音楽ＣＤに記録される情報である場合、制御装置１０は、情報蓄積媒体としてのシーディーディービー（ＣＤＤＢ）を保有するサーバ装置にアクセスして、記録すべき音楽情報が記録される音楽ＣＤに対応した種類情報を取得するように、取得要求情報を通信装置２３に与え、ＣＤＤＢに登録されている種類情報を取得する。ＣＤＤＢは、ＣＤに記録される音楽情報に関する各種情報が登録されるデータベースである。
【００８３】
図８は、音楽情報をＨＤＤ装置１に記録させるための制御装置１０の制御動作の一例を示すフローチャートである。この制御動作は、図１に示すように、音楽領域１１がナビ領域１２の両側に配置される場合の制御動作である。制御装置１０は、音楽情報を記録する記録指令情報が与えられると、ステップｓ０で、音楽情報の記録制御動作を開始する。ステップｓ１では、操作部２７の操作に基づいて、種類情報を取得しているか否か判定する。つまり、ユーザとも呼ばれる利用者によって、記録すべき音楽情報のジャンルを指定する種類情報が与えられているか否か判定する。指定されている場合は、ステップｓ２に進み、指定されていない場合は、ステップｓ６に進む。
【００８４】
ステップｓ２では、曲またはアルバムとジャンルとを結びつける。つまり、取得される種類情報に基づいて、記録すべき音楽情報を各ジャンルに分類する。そしてステップｓ３に進む。ステップｓ３では、記録すべき音楽情報のジャンルが、事前に指定された好きなジャンルか否か判定する。好きなジャンルである場合には、ステップｓ４に進み、好きなジャンルでない場合には、ステップｓ１０に進む。
【００８５】
ステップｓ４では、ナビ領域１２に隣接した領域部分３０に優先的に、音楽情報を記録させる。つまり好きなジャンルが指定されている場合、そのジャンルにナビ領域１２に隣接した領域部分３０を割当て、その領域部分３０に音楽情報を記録させる。このように音楽情報を記録させて、ステップｓ５に進み、音楽情報の記録制御動作を終了する。
【００８６】
ステップｓ６では、ＣＤＤＢでジャンルを確認可能か、つまりＣＤＤＢからジャンルを特定する種類情報を取得可能か否かを判定する。種類情報を取得可能であれば、ステップｓ７に進み、種類情報を不可能であれば、ステップｓ８に進む。ステップｓ７では、通信部２３制御し、ＣＤＤＢからジャンルを示す種類情報を取得し、ステップｓ２に進む。
【００８７】
ステップｓ８では、曲またはアルバムとジャンルとを結びつけ無しと設定する。つまり、記録すべき音楽情報の分類を断念し、ステップｓ９に進む。ステップｓ９では、任意の領域部分、したがって予め初期設定される領域部分に、音楽情報を記録させる。たとえばナビ領域からもっとも遠い領域部分３３に記録するようにしてもよいし、各領域部分３０〜３３のうち空き記録容量が最も多い領域部分に記録するようにしてもよい。音楽情報を記録させて、ステップｓ５に進み、音楽情報の記録制御動作を終了する。
【００８８】
ステップｓ１０では、記録すべき音楽情報のジャンルが、記録再生される頻度が最も高いジャンルか否か判定する。最も頻度の高いジャンルである場合には、ステップｓ４に進み、最も頻度の高いジャンルでない場合には、ステップｓ１１に進む。
【００８９】
ステップｓ１１では、ナビ領域１２に隣接した領域部分３０以外の領域部分３１〜３３に、音楽情報を記録させる。具体的には、図３〜図６を参照して前述したように、各ジャンルに各領域部分３０〜３１が割当てられているので、記録すべき音楽情報のジャンルに割当てられている領域部分に、音楽情報を記録させる。音楽情報を記録させて、ステップｓ５に進み、音楽情報の記録制御動作を終了する。
【００９０】
本実施の形態によれば、ＨＤＤ装置１は、ディスク２が複数の記録領域１１，１２に分割され、複数のグループに分類される情報が、各グループ毎に各記録領域１１，１２にそれぞれ記録される。これら各記録領域１１，１２は、ヘッド３によって各記録領域１１，１２に対して情報を記録再生する場合のヘッド３の動作量が小さくなるように配置されている。具体的には、一方の記録領域１１は、他方の記録領域１２の両側に配置される。これによって、各記録領域１１，１２に対して情報を記録再生するときのヘッド３の平均動作量を、各記録領域１１，１２を並べて配置する場合に比べて、約３分の２に低減することができる。したがって各記録領域に対して情報を記録再生するために要する時間を約３分の２に短縮することができる。
【００９１】
また一方の記録領域に記録される音楽情報は、複数のジャンルに分類され、各ジャンル毎に、異なる領域部分にそれぞれ記録される。利用者には、好みの音楽のジャンルが存在するので、音楽情報をジャンルで分類することによって、音楽情報の記録再生は、全ジャンルに平均的に分散するのではなく、一部の好みのジャンルに集中することが想定される。これによって一方の記録領域に対する記録再生の対象となる領域部分をできるだけ一部の領域部分に集中させることができる。したがって情報を種類毎に領域部分を割当てて記録することによって、ヘッドの動作量を小さく抑えることが可能になり、記録再生に要する時間をさらに短縮することができる。
【００９２】
また音楽情報のうち優先すべきジャンル、具体的には好きなジャンルを指定する優先情報によって指定されるジャンルの音楽情報が、ナビ領域に近い領域部分に記録される。好きなジャンルの音楽情報は、記録再生される頻度が高いと想定され、このように記録再生される頻度が高いと想定される情報に関連して、ヘッド３の動作量を小さくすることができるので、記録再生に要する時間をさらに短縮することができる。
【００９３】
また好きなジャンルが指定されていない場合、音楽情報のうち記録再生される頻度が高い情報が、ナビ領域に近い領域部分に記録される。したがって記録再生される頻度が高い情報に関連してヘッドの動作量を小さくすることができるので、記録再生に要する時間を短縮することができる。
【００９４】
また音楽情報を記録するにあたって、その音楽情報が音楽ＣＤに記録される音楽情報である場合、ＣＤＤＢに登録されている音楽情報の種類を表す種類情報を利用して分類される。これによって音楽ＣＤに記録されている音楽情報を記録するにあたっては、いわば自動的に音楽情報が分類されるので、利用者が予め分類して種類情報を入力する必要がなく、利便性を高くすることができる。
【００９５】
また音楽情報を記録するにあたって、利用者によって音楽情報の種類を表す種類情報が入力される。したがって利用者が好みなど利用者の都合によって、音楽情報を分類することが可能であり、利便性を高くすることができる。しかも種類情報を、入力するにあたっては、複数の選択枝の中から選択して入力するように構成されており、利用者による入力の手間を少なくすることができる。
【００９６】
図９は、本発明の実施の他の形態のＨＤＤ装置１に備えられるディスク２を示す斜視図である。本実施の形態は、図１〜図８を参照して説明した実施の形態と類似しており、対応する部分に同一の符号を付し、異なる構成についてだけ説明し、同様の構成については説明を省略する。図１〜図８の実施の実施の形態では、各記録領域１１，１２は、一方の記録領域１１が、他方の記録領域１２の両側に配置されるように設けられたけれども、本実施の形態では、各記録領域１１，１２は、交互に配置される。
【００９７】
具体的には、各記録領域１１，１２は、複数の区域にそれぞれ分割され、一方の記録領域１１の区域と、他方の記録領域１２の区域とが交互に配置される。さらに詳細には、記録可能域１３が、複数の円環状の区域に半径方向に分割され、各区域が、一方の記録領域と他方の記録領域１２とに、交互に割当てられる。したがって一方の記録領域１１は、複数、本実施の形態では、３つの区域４１〜４３を有し、他方の記録領域１２は、複数、本実施の形態では、３つの区域４６〜４８を有する。図９には、図解を容易にするために、他方の記録領域１２の各区域４６〜４８に、斜線のハッチングを付して示す。
【００９８】
図１０は、図９のセクションＳ１０を拡大して、軸線Ｌ２に沿う方向から見て、ディスク２の一部を示す正面図である。図１１は、ジャンルの一例を説明するためにディスク２の一部を示す正面図である。図１２は、各ジャンルに対する領域部分の割当ての一例を説明するためにディスク２の一部を示す正面図である。図１３は、各ジャンルに対する領域部分の割当ての他の例を説明するためにディスク２の一部を示す正面図である。
【００９９】
ナビ情報は、地域毎に分類され、各地域毎に、各区域４６〜４８に記録される。ナビ情報を分類する地域は、たとえば関東地方、中部地方、近畿地方などの地方毎の分類であってもよいし、各都道府県後との分類であってもよい。また１つの地域の情報を１つの区域に記録するようにしてもよし、複数の地域の情報を合せて１つの区域に記録するようにしてもよい。したがって他方の記録領域１２の区域数は、たとえばナビ情報を分類する地域数などによって決定される。
【０１００】
一方の記録領域１１は、複数の領域部分に分割される。１つの区域が１つの領域部分であってもよいし、１つの区域が複数の領域部分に分割されてもよいし、また複数の区域を合わせて１つの領域部分としてもよい。本実施の形態では、各区域４１〜４３が、複数の領域部分３０〜３３にそれぞれ分割される。音楽情報は、図１０および図１１に示すように、前述の実施の形態と同様にジャンルによって分類され、各ジャンルに各領域部分３０〜３３がそれぞれ割当てられる。
【０１０１】
したがって制御装置１０は、記録可能域１３を、各区域４１〜４３，４６〜４８に設定し、各区域４１〜４３，４６〜４８を、音楽領域１１およびナビ領域１２にそれぞれ割当てる。そして制御装置１０は、ナビ情報を地域毎に分類して、ナビ領域１２の各区域４６〜４８に割当てて記録するとともに、各区域４１〜４３を有する音楽領域１１に、各領域部分３０〜３３を設定し、各領域部分３０〜３３を、各ジャンルにそれぞれ割当てて、音楽情報を各ジャンル毎に領域部分３０〜３３に記録するように、ＨＤＤ装置１０を制御する。
【０１０２】
制御装置１０は、各ジャンルに、各領域部分３０〜３３を割当てるにあたって、優先すべきジャンルが指定されている場合は、指定されるジャンルの音楽情報が、ナビ領域１２のうち基準地点付近を案内するための情報が記録される区域に近い領域部分に優先的に記録されるように割当てる。図１０〜図１３では、ナビ領域１２における最も外側の区域４８に基準地点付近を案内する情報が記録されている状態を示す。以下、基準地点付近を案内する情報が記録される区域４８を基準地点区域という場合がある。
【０１０３】
優先すべきジャンルは、前述の実施の形態と同様にして指定される。また基準地点は、利用者の自宅が設定されている場合には、その自宅に相当する地点であり、自宅が設定されていない場合には、利用者の現在位置またはナビゲーション装置２０の電源がオンになった頻度が高い地点である。自宅を設定するか否かを含めて、基準位置の設定は、操作部２７の操作に基づいて設定される。優先情報は、前述の実施の形態と同様の優先情報であり、制御装置１０のメモリに制御条件として記憶されている。また利用者の自宅およびナビゲーション装置２０の電源がオンになった頻度が高い地点など、基準地点もまた、制御装置１０のメモリに制御条件として記憶されている。
【０１０４】
また制御装置１０は、各ジャンルに、各領域部分３０〜３３を割当てるにあたって、基準地点が、現在位置およびナビゲーション装置２０の電源がオンになった頻度が高い地点など、変化する地点である場合は、予め初期設定される条件を満たすように基準地点を設定しておき、現在位置およびナビゲーション装置２０の電源がオンになった頻度が高い地点に変更する。基準地点が変更されると、音楽領域１１の各領域部分３０〜３３の基準地点区域４８に対する遠近が変化し、各ジャンルに対する領域部分３０〜３３の割当てが変更される場合ある。この場合、変更前に記録された音楽情報については、変更前に割当てられた領域にそのまま記録しておいてもよいし、変更後に割当てられる領域に記録し直すようにしてもよい。
【０１０５】
制御装置１０は、好きなジャンルが１つ指定されている場合には、図１２指定される好きなジャンルに、基準地点区域４８に隣接する領域部分３０を割当てる。その他のジャンルについては、予め初期設定される条件を満たすように適宜割当てる。また制御装置１０は、各ジャンルの好きな度合が指定されている場合には、好きな度合が高いジャンルから順次、基準地点区域４８に近い領域部分を割当てるようにしてもよい。
【０１０６】
また制御装置１０は、各ジャンルに、各領域部分３０〜３３を割当てるにあたって、優先すべきジャンルが指定されていない場合は、図１３に示すように、記録再生する頻度が最も高いジャンルに、ナビ領域１２に隣接する領域部分３０が割当てる。その他のジャンルについては、予め初期設定される条件を満たすように適宜割当てる。また制御装置１０は、記録再生頻度の高いジャンルから順次、ナビ領域１２に近い領域部分を割当てるようにしてもよい。
【０１０７】
このように記録再生頻度によって領域部分３０〜３３の割当てをする場合、予め初期設定される条件を満たすように各ジャンルに各領域部分３０〜３３が適宜割当てられ、記録再生される頻度に基づいて、記録再生される頻度の高いジャンルに、ナビ領域１２に隣接する領域部分３０が割当てられるように、各ジャンルに対する各領域部分３０〜３３の割当てを変更する。割当ての変更にあたって、変更前に記録された音楽情報については、変更前に割当てられた領域にそのまま記録しておいてもよいし、変更後に割当てられる領域に記録し直すようにしてもよい。
【０１０８】
このように音楽領域１１は、前述の実施の形態と同様に、複数の領域部分３０〜３３に分割され、ジャンル毎に領域部分３０〜３３が割当てられて記録される。このように割当てはされるが、各ジャンルに割当てられた領域部分３０〜３３の記録容量に空きが無い場合には、制御装置１０は、空き記録容量を有するたの領域部分に記録するように制御する。この場合、本来割当てられる領域部分にできるだけ近い領域部分に記録するようにしてもよい。図１０〜図１３には、図解を容易にするために、音楽領域１１のうち、ナビ領域１２の外側に配置される区域４３だけを示しているが、音楽領域１１は、他の区域４１，４２も含めて、複数の領域部分に分割されることは言うまでもない。
【０１０９】
制御装置１０は、音楽情報を記録する記録指令情報が与えられると、前述の実施の形態と同様にして、音楽情報を分類し、前述のように割当てられる各領域部分３０に記録するように、ＨＤＤ装置１を制御する。
【０１１０】
図１４は、音楽情報をＨＤＤ装置１に記録させるための制御装置１０の制御動作の一例を示すフローチャートである。この制御動作は、図９に示すように、音楽領域１１とナビ領域１２とを交互に配置する場合の制御動作である。制御装置１０は、音楽情報を記録する記録指令情報が与えられると、ステップａ０で、音楽情報の記録制御動作を開始する。ステップa１は、図８のステップｓ１と同様の判定動作である。種類情報が指定されている場合は、ステップa２に進み、指定されていない場合は、ステップａ８に進む。
【０１１１】
ステップa２は、図８のステップｓ２と同様の動作であり、音楽情報を分類してステップａ３に進む。ステップa３は、図８のステップｓ３と同様の判定動作である。記録すべき音楽情報のジャンルが、好きなジャンルである場合には、ステップａ４に進み、好きなジャンルでない場合には、ステップａ１２に進む。
【０１１２】
ステップａ４では、ナビ領域１２に隣接した領域部分に記録することを決定し、ステップa５に進む。ステップａ５では、自宅が設定されているか否か判定する。つまり基準地点が自宅の位置であるか否か判定する。自宅が設定されている場合、ステップａ６に進み、設定されていなければステップａ１４に進む。
【０１１３】
ステップａ６では、ナビ領域１２の自宅付近を案内するための情報が記録されている基準区域４８に隣接した領域部分３０に優先的に、音楽情報を記録させる。つまり好きなジャンルが指定されている場合、そのジャンルに基準区域４８に隣接した領域部分３０を割当て、その領域部分３０に音楽情報を記録させる。このように音楽情報を記録させて、ステップａ７に進み、音楽情報の記録制御動作を終了する。
【０１１４】
ステップａ８は、図８のステップｓ６と同様の判定動作である。種類情報を取得可能であれば、ステップａ９に進み、種類情報を不可能であれば、ステップａ１０に進む。ステップａ９は、図８のステップｓ７と同様の動作であり、種類情報を取得し、ステップａ２に進む。
【０１１５】
ステップａ１０は、図８のステップｓ８と同様の動作であり、音楽情報の分類を断念し、ステップａ１１に進む。ステップａ１１は、図８のステップｓ９と同様の動作であり、予め初期設定される領域部分に、音楽情報を記録させる。音楽情報を記録させて、ステップａ７に進み、音楽情報の記録制御動作を終了する。
【０１１６】
ステップａ１２は、図８のステップｓ１０と同様の判定動作である。最も頻度の高いジャンルである場合には、ステップａ４に進み、最も頻度の高いジャンルでない場合には、ステップａ１３に進む。ステップａ１３は、図８のステップｓ１１と同様の動作であり、同様に音楽情報を記録させて、ステップａ７に進み、音楽情報の記録制御動作を終了する。
【０１１７】
ステップａ１４では、基準位置は、現在位置であるか否か判定する。現在位置である場合には、ステップａ１５に進み、現在位置でない場合には、ステップａ１６に進む。ステップａ１５では、現在位置である基準地点を案内するための情報が記録される基準区域４８に隣接した領域部分３０に優先的に、音楽情報を記録させる。つまり好きなジャンルが指定されている場合、そのジャンルに基準区域４８に隣接した領域部分３０を割当て、その領域部分３０に音楽情報を記録させる。このように音楽情報を記録させて、ステップａ７に進み、音楽情報の記録制御動作を終了する。
【０１１８】
ステップａ１６では、出発位置の頻度が一番多い地点、したがってナビゲーション装置２０の電源がオン、車両に搭載される場合はアクセサリ（Ａｃｃ）がオンになった頻度が最も高い地点である基準地点を案内するための情報が記録される基準区域４８に隣接した領域部分３０に優先的に、音楽情報を記録させる。つまり好きなジャンルが指定されている場合、そのジャンルに基準区域４８に隣接した領域部分３０を割当て、その領域部分３０に音楽情報を記録させる。このように音楽情報を記録させて、ステップａ７に進み、音楽情報の記録制御動作を終了する。
【０１１９】
本実施の形態によれば、基本的には、図１〜図８に示す実施の形態と同様の効果を達成することができる。本実施の形態では、一方の記録領域１１は、他方の記録領域１２の両側に配置される構成ではなく、各記録領域１１，１２が交互に配置される構成であるので、各記録領域１１，１２に対して情報を記録再生するときのヘッド３の平均動作量を、各記録領域１１，１２を並べて配置する場合に比べて、約３分の２に低減することができる。したがって各記録領域に対して情報を記録再生するために要する時間を約３分の２に短縮することができる、という効果は達成されないが、その他の構成については同様に達成し、記録再生に要する時間を短縮できる効果を達成することができる。
【０１２０】
また本実施の形態によれば、互いに隣接する２つの区域の情報を記録再生する場合、ヘッド３の動作量を低減することができる。したがって各記録領域１１，１２を単に並べて配置する場合に比べて、各記録領域１１，１２に対して情報を記録再生するために要する時間を短縮することができる。
【０１２１】
また利用者の自宅、利用者の現在位置またはナビゲーション装置の電源がオンになった頻度の高い地点を基準地点として、記録再生の頻度が高いと想定される案内情報が表す地点を基準地点として設定し、その基準地点付近を案内するための情報が記録される基準区域４８に近い領域部分に、好きなジャンル、記録再生頻度の高いジャンルを割当てる。これによって、記録再生される頻度が高い情報が記録される区域同士が隣接して配置される。したがって記録再生される頻度が高い情報に関連してヘッド３の動作量を小さくすることができるので、記録再生に要する時間を短縮することができる。
【０１２２】
このように本実施の形態では、図１〜図８に示す実施の形態の効果として詳細に説明したような音楽情報の分類による記録再生時間の短縮効果に加えて、ナビ情報の分類およびそれに合わせて音楽情報を記録する領域部分を配置することによる記録再生時間の短縮効果を達成し、さらなる時間短縮を可能にすることができる。
【０１２３】
上述の実施の形態では、音楽情報を分類する種類が音楽のジャンルであったけれども、本発明の実施のさらに他の形態として、アーティストによって分類するようにしてもよい。アーティストも、ジャンルと同様に利用者の好み存在するものであり、記録再生が一部のアーティストに集中する。したがってジャンルで分類する場合と同様に、制御装置１０で制御し、同様の効果を達成することができる。本実施の形態では、制御装置１０は、前述の制御動作における「ジャンル」を「アーティスト」に読み替えた制御動作を実行する。これによって同様の効果を達成することができる。
【０１２４】
また本発明の実施のさらに他の形態として、音楽情報を情報源によって分類するようにしてもよい。この情報源は、音楽情報の取得元であり、音楽ＣＤ、テレビジョン放送、ラジオ放送などである。音楽ジャンルまたはアーティスト毎に、音楽情報を入手しやすい情報源が異なったり、また情報源によって音質に差が生じるなどの理由から、一部の情報源からの情報に対して記録再生が集中する。したがって情報源によって分類することによって、ジャンルで分類する場合と同様に、制御装置１０で制御し、同様の効果を達成することができる。本実施の形態では、制御装置１０は、前述の制御動作における「ジャンル」を「情報源」に読み替えた制御動作を実行する。これによって同様の効果を達成することができる。
【０１２５】
また本発明の実施のさらに他の形態として、一方の記録領域に記録する情報として、デジタル放送を受信して取得した場合、したがって制御手段１０による通信装置２３の制御によってデジタル放送を受信して取得した場合、制御手段１０は、その音楽情報を音楽領域１１に記録するにあたっては、課金される額を表す課金情報を音楽領域１１に併せて記録させる。これによって課金情報を記録再生するためにヘッド３の動作量が大きくなってしまうことを防ぐことができる。したがってヘッドの動作量を小さくし、情報を記録再生するために要する時間を短縮することができる。
【０１２６】
前述の各実施の形態は、本発明の例示に過ぎず、本発明の範囲内で構成を変更することができる。たとえば記録再生される情報は、音楽情報およびナビ情報に限定されることはなく、他のグループの情報であってもよい。また３つ以上のグループの情報を記録するようにしてもよい。またナビゲーション装置２０の以外の装置で実施されてもよい。
【図面の簡単な説明】
【０１２７】
【図１】本発明の実施の一形態のＨＤＤ装置１を簡略化して示すブロック図である。
【図２】ＨＤＤ装置１を備えるナビゲーション装置２０を示すブロックである。
【図３】図１のセクションＳ３を拡大して、軸線Ｌ２に沿う方向から見て、ディスク２の一部を示す正面図である。
【図４】ジャンルの一例を説明するためにディスク２の一部を示す正面図である。
【図５】各ジャンルに対する領域部分の割当ての一例を説明するためにディスク２の一部を示す正面図である。
【図６】各ジャンルに対する領域部分の割当ての他の例を説明するためにディスク２の一部を示す正面図である。
【図７】表示部２８を示す正面図である。
【図８】音楽情報をＨＤＤ装置１に記録させるための制御装置１０の制御動作の一例を示すフローチャートである。
【図９】本発明の実施の他の形態のＨＤＤ装置１に備えられるディスク２を示す斜視図である。
【図１０】図９のセクションＳ１０を拡大して、軸線Ｌ２に沿う方向から見て、ディスク２の一部を示す正面図である。
【図１１】ジャンルの一例を説明するためにディスク２の一部を示す正面図である。
【図１２】各ジャンルに対する領域部分の割当ての一例を説明するためにディスク２の一部を示す正面図である。
【図１３】各ジャンルに対する領域部分の割当ての他の例を説明するためにディスク２の一部を示す正面図である。
【図１４】音楽情報をＨＤＤ装置１に記録させるための制御装置１０の制御動作の一例を示すフローチャートである。
【符号の説明】
【０１２８】
１  ＨＤＤ装置
２  ディスク
３  ヘッド
１０  制御装置
１１  音楽領域
１２  ナビ領域
１３  記録可能域
２０  ナビゲーション装置
２１  案内情報生成装置
２２  入力装置
２３  通信装置
２４  出力装置
３０〜３３  領域部分
４１〜４３，４６〜４８  区域
【図１】
2006065897.tif 000003
【図２】
2006065897.tif 000004
【図３】
2006065897.tif 000005
【図４】
2006065897.tif 000006
【図５】
2006065897.tif 000007
【図６】
2006065897.tif 000008
【図７】
2006065897.tif 000009
【図８】
2006065897.tif 000010
【図９】
2006065897.tif 000011
【図１０】
2006065897.tif 000012
【図１１】
2006065897.tif 000013
【図１２】
2006065897.tif 000014
【図１３】
2006065897.tif 000015
【図１４】
2006065897.tif 000016